(57)【要約】【課題】デジタルＴＶなどの受信装置において、ＧＰＳや郵便番号によらずともその受信装置が設置されている地域を判別すること。【解決手段】受信装置が設置されている地域を判別する受信地域判別方法であって、放送波を受信し、当該放送波に含まれる番組情報を取得し、当該放送波に含まれる番組情報に、所定の番組が対応するとき、当該所定の番組の配信地域が受信地域であると判別する受信地域判別方法。さらに前記所定の番組として複数の番組の各受信状況の強弱を鑑みて受信地域を判別する受信地域判別方法。【選択図】  図３
2009177270.tif 000002
【特許請求の範囲】
【請求項１】
受信装置が設置されている地域を判別する受信地域判別方法であって、
放送波を受信し、
当該放送波に含まれる番組情報を取得し、
当該放送波に含まれる番組情報に、所定の番組が対応するとき、当該所定の番組の配信地域が受信地域であると判別する受信地域判別方法。
【請求項２】
請求項１の受信地域判別方法であって、
前記番組情報は、PMT(Program Map Table)に含まれる番組番号(program_number)である受信地域判別方法。
【請求項３】
請求項１又は２の受信地域判別方法であって、
前記所定の番組として複数の番組の各受信状況の強弱を鑑みて受信地域を判別する受信地域判別方法。
【請求項４】
請求項１から３のいずれかの受信地域判別方法を実行する受信装置。
【請求項５】
請求項１から３のいずれかの受信地域判別方法であって、
判別した受信地域に応じたコンテンツを配信する受信地域判別方法。
【発明の詳細な説明】
【技術分野】
【０００１】
技術分野は、受信している地域の判別に関する。
【背景技術】
【０００２】
上記技術分野において特許文献１は、「視聴者が現在位置する場所においてその場所に対応した地域的なコマーシャルを視聴者に提示することを可能にしたディジタル放送受信広告情報出力装置を提供する。」ことを目的として、「ディジタル放送波には広告情報及び広告地域情報が載せられている。ＣＰＵ１１は、ＧＰＳ受信回路１２やビーコン受信回路１３から出力される復調データに基づいて現在位置を取得し、この現在位置を中心に所定範囲内に存在する広告地域情報を持つ広告情報を取り出し、この広告情報をＣＭデータメモリ１４に格納する。そして、ＣＰＵ１１は、ＡＶデコーダ４から出力されるモード信号に基づいて現在受信中の番組でＣＭに切り替わったことを検出すると、前記ＣＭデータメモリ１４から広告情報を読み出し、上記ＣＭに代えて広告情報の映像／音声出力を行う。」ことを開示している。
【０００３】
また、地上波デジタル放送対応の受信装置では、その設置場所を特定するためユーザに郵便番号を入力させる手法がとられている。
【０００４】
【特許文献１】特開２００２−１５８９４０号公報
【発明の開示】
【発明が解決しようとする課題】
【０００５】
しかしながら、特許文献１ではＧＰＳ搭載が前提であるが宅内に設置するリビングＴＶ等は転居しない限りは設定が変わらずＧＰＳが不要・コスト高となる。
【０００６】
また、ユーザに郵便番号等の地域識別情報を入力させる手法では、ユーザが入力しない限り受信地域に応じたコンテンツを提供できないという問題がある。
【課題を解決するための手段】
【０００７】
そこで例えば、放送波から取得した地域固有の番組情報等を元に自動的に受信地域を特定する、又は、当該番組情報等を配信サーバに通知する受信装置を提供する。
【発明の効果】
【０００８】
上記手段によれば例えば、ＧＰＳや郵便番号によらずとも受信地域を判別することができる。
【発明を実施するための最良の形態】
【０００９】
以下、図面を用いて実施例を説明する。
【実施例１】
【００１０】
図1は、本実施例にかかる受信装置の構成例を概略的に示した図である。受信装置101は放送波を受信する放送波入力部102と、ネットワーク経由でデータを送受信するネットワーク入出力部103と、映像音声データを再生制御および処理する再生処理部104と、映像音声データを表示装置に出力する映像音声出力部105と、利用者からの指示を受信するためのリモコン入力部106とを有する。さらに、受信装置を構成する各部に指示信号等を送信して全体を制御する制御部107を有する。
【００１１】
地域情報記憶部108は、制御部107の指示により放送波から取得した情報を基に判別した地域情報を保持しておく。
【００１２】
図2は、受信装置がデータを送受信する経路構成の一例を示した図である。受信装置201は、放送局202から放送波を受信する。また、受信装置201は配信サーバ203にネットワークを介して接続されており、映像等データの送受信を行う。
【００１３】
図3は、受信装置が放送波から得た情報を基に受信地域を判別し、その地域に応じたコンテンツを受信する手順例を示している。
【００１４】
ステップ301は、受信装置201が放送局202から放送波を受信する処理である。
【００１５】
ステップ302では、放送波から取得した情報を基に受信地域、すなわち受信装置が設置されている場所を判別する。例えば、放送波のPMT(Program Map Table)に含まれる番組番号(program_number)から受信装置が受信している地域固有番組を識別することで、受信地域を特定することができる。具体的には、テレビ埼玉の番組を受信している場合は、受信地域が埼玉県であると判定する。さらには、受信地域が埼玉県であると判定した場合に千葉テレビの番組を低い受信レベルで受信していれば、受信地域が埼玉県の中でも千葉県に近い地域であることを特定できる。ここで得た地域情報は、制御部107の指示により地域情報記憶部108に保持される。
【００１６】
ステップ303は、ユーザ操作等により配信サーバ203にコンテンツ配信を要求する処理である。このとき、地域情報記憶部108に保持した地域情報を配信サーバ203に送信する。なお、ステップ302とステップ303が連続している必要はなく、間でユーザ操作等の処理を行っても構わない。
【００１７】
ステップ304は、配信サーバ203において地域情報を元にコンテンツを選択する処理である。例えば、受信地域に応じて地域固有の番組や広告を選択する。
ステップ305では、ステップ304で選択したコンテンツの配信を行う。以上で本実施例の処理は終了となる。
【００１８】
なお、本実施例では配信サーバ203が地域情報を元に全く異なるコンテンツを選択する場合を説明したが、受信地域に関わらず同一のコンテンツを選択しておき、地域情報を元にコンテンツの一部を差し替えながら配信を行っても良い。
【００１９】
なお、本実施例では受信装置201が特定の場所に固定で設置されている場合について説明したが、受信装置201は移動可能な装置であっても構わない。この場合は、地域情報記憶部108に保持する地域情報を更新し、配信サーバ203に対して地域情報が変化したことを通知すれば良い。これにより、移動した地域に応じたコンテンツを受信することができ、ユーザの利便性は一層向上する。
【００２０】
また、本実施例では受信装置201が放送波から取得した情報を元に受信地域を判別する場合について説明したが、判別処理を配信サーバ203において行ってもよい。具体的には、受信装置201が放送波から取得した情報をそのまま、または一部を編集して配信サーバ203に送信し、配信サーバ203がその情報を元に受信地域を判別する。
【実施例２】
【００２１】
実施例1においては、受信地域に応じて配信するコンテンツを変える処理について説明したが、配信を行うサーバを変更する処理であってもよい。
【００２２】
図4は、本実施例にかかる受信装置が放送波から得た情報を元に受信地域を判別し、その地域に応じた配信サーバからコンテンツを受信する手順を示している。
【００２３】
ステップ401と、ステップ402と、ステップ403では、実施例1と同等の処理を行う。
【００２４】
ステップ404は、配信サーバAにおいて地域情報を元に配信サーバを選択する処理である。例えば、受信地域に最も近い配信サーバ、または受信地域に応じたコンテンツを有する配信サーバを選択する。
【００２５】
ステップ405は、ステップ404で選択した配信サーバBに対してコンテンツ配信を要求する処理である。
【００２６】
ステップ406は、配信サーバBから受信装置201に対してコンテンツの配信を行う処理である。以上で本実施例の処理は終了となる。
【００２７】
なお、本実施例では受信装置201が特定の場所に固定で設置されている場合について説明したが、受信装置201は移動可能な装置であっても構わない。この場合は、地域情報記憶部108に保持する地域情報を更新し、配信サーバAに対して地域情報が変化したことを通知すれば良い。これにより、移動した地域に最も近い配信サーバからコンテンツを受信することができ、ユーザの利便性は一層向上する。
【００２８】
また、本実施例では受信装置201が放送波から取得した情報を元に受信地域を判別する場合について説明したが、判別処理を配信サーバAにおいて行っても良い。具体的には、受信装置201が放送波から取得した情報をそのまま、または一部を編集して配信サーバAに送信し、配信サーバAがその情報を元に受信地域を判別する。
【００２９】
なお、本実施例では配信サーバAにおいて地域情報を元に配信サーバを選択する場合について説明したが、受信装置201が地域情報を判定して配信サーバBに直接コンテンツ配信を要求しても良い。これにより、配信サーバAを経由しないためコンテンツ配信までの時間を短縮することができ、ユーザの利便性は一層向上する。
【図面の簡単な説明】
【００３０】
【図１】受信装置の構成例を示す。
【図２】受信装置がデータを送受信する経路構成の例を示す。
【図３】受信装置と配信サーバにおいて、放送波から取得した情報を基に受信地域を判別し、受信地域に応じたコンテンツを選択して配信する動作の処理例を示す。
【図４】受信装置と配信サーバにおいて、放送波から取得した情報を元に受信地域を判別し、受信地域に応じた配信サーバを選択してコンテンツ配信を行う動作の処理例を示す。
【符号の説明】
【００３１】
101・・・受信装置
102・・・放送波入力部
103・・・ネットワーク入出力部
104・・・再生処理部
105・・・映像音声出力部
106・・・リモコン入力部
107・・・制御部
108・・・地域情報記憶部
【図１】
2009177270.tif 000003
【図２】
2009177270.tif 000004
【図３】
2009177270.tif 000005
【図４】
2009177270.tif 000006